(57)【要約】【課題】出湯停止時において混合弁の開度が保持される保持時間を短縮する。【解決手段】給湯システムでは、貯湯タンクから供給された湯と給水源から供給された水とが混合弁によって混合されて給湯端末に供給される。また、給湯端末から出湯される湯の給湯設定温度は、コントローラの操作部が操作されることによって決定される。給湯設定温度が第１切換温度以上である場合は、混合弁の保持時間が第１保持時間に設定され、給湯設定温度が第１切換温度未満の場合は、混合弁の保持時間が第１保持時間より長い第２保持時間に設定される。【選択図】図４
2012225522.tif 000002
【特許請求の範囲】
【請求項１】
貯湯タンクと、前記貯湯タンクに接続された給湯端末とを備えた給湯システムであって、
前記給湯端末から出湯される湯の給湯設定温度を決定する温度決定手段と、
前記貯湯タンクから供給された湯と給水源から供給された水とを混合して前記給湯端末に供給する混合弁とを有しており、
前記混合弁が、前記給湯端末からの出湯が停止された後で保持時間が経過するまでは出湯停止時の開度を保持すると共に、前記保持時間が経過すると前記給水源からの水の混合比率が増加するように開度が制御されるものであって、
前記給湯設定温度が所定切換温度以上である場合の前記保持時間が、前記給湯設定温度が前記所定切換温度未満である場合の前記保持時間より短いことを特徴とする給湯システム。
【請求項２】
前記給湯設定温度を表示する表示手段を有しており、
前記表示手段が、出湯が停止された後において待機時間が経過しても出湯が開始されない場合に、前記給湯設定温度の表示を消去するように制御されるものであって、
前記給湯設定温度が前記所定切換温度以上である場合の前記保持時間が前記待機時間以下であることを特徴とする請求項１に記載の給湯システム。
【請求項３】
前記待機時間が、前記給湯設定温度にかかわらず一定であることを特徴とする請求項２に記載の給湯システム。
【請求項４】
前記待機時間が、前記給湯設定温度に基づいて変更されることを特徴とする請求項２に記載の給湯システム。
【請求項５】
前記所定切換温度を変更する変更手段を備えていることを特徴とする請求項１から４のいずれかに記載の給湯システム。
【発明の詳細な説明】
【技術分野】
【０００１】
本発明は、加熱された湯と水とを混合して給湯端末に供給する給湯システムに関する。
【背景技術】
【０００２】
給湯システムは、加熱された温水を貯留する貯湯タンクを備え、貯湯タンクから供給された湯と給水源から供給された水とを混合弁によって混合して給湯端末に供給するものが一般的である。そして、給湯システムでは、出湯開始時において高温の湯が出湯されるのを防止するため、出湯が停止されると、混合弁の開度が水の混合比率が大きくなるように変更される。また、出湯停止後において、すぐに再出湯した場合に、出湯停止時と同じ温度で出湯できるように、混合弁の開度が出湯停止時から所定の保持時間だけ保持されることが多い。
【先行技術文献】
【特許文献】
【０００３】
【特許文献１】特開２００６−３４９２１９号公報
【発明の概要】
【発明が解決しようとする課題】
【０００４】
しかしながら、出湯停止時に混合弁の開度が保持された状態で停電があった場合、混合弁の開度が制御できないことから、出湯される湯の温度を変更できない。したがって、混合弁の開度が高温の湯に対応した開度で保持されている場合、低温の湯を出湯できないという問題がある。よって、出湯が停止されたときに、混合弁の開度が水の混合比率が大きくなるように制御される場合において、混合弁の開度が給湯停止時に保持される場合でも、その保持時間は出来るだけ短い方がよい。
【０００５】
そこで、本発明の目的は、出湯停止時において混合弁の開度が保持される保持時間を短縮できる給湯システムを提供することである。
【課題を解決するための手段】
【０００６】
上記課題を解決するために、第１の発明にかかる給湯システムは、貯湯タンクと、前記貯湯タンクに接続された給湯端末とを備えた給湯システムであって、前記給湯端末から出湯される湯の給湯設定温度を決定する温度決定手段と、前記貯湯タンクから供給された湯と給水源から供給された水とを混合して前記給湯端末に供給する混合弁とを有しており、前記混合弁が、前記給湯端末からの出湯が停止された後で保持時間が経過するまでは出湯停止時の開度を保持すると共に、前記保持時間が経過すると前記給水源からの水の混合比率が増加するように開度が制御されるものであって、前記給湯設定温度が所定切換温度以上である場合の前記保持時間が、前記給湯設定温度が前記所定切換温度未満である場合の前記保持時間より短いことを特徴としている。
【０００７】
この給湯システムでは、給湯設定温度が所定切換温度以上か否かに基づいて保持時間の長さを変更することによって、出湯停止時において混合弁の開度が保持される保持時間を出来るだけ短くできる。すなわち、給湯設定温度が低いときは、混合弁と給湯端末との間の配管内の温水の温度低下が小さいので、保持時間を長くしても、再出湯時、前回と同じ温度で出湯することができるのに対し、給湯設定温度が高いときは、上記の配管内の温水の温度低下が大きいので、保持時間を長くしても、再出湯時、前回と同じ温度で出湯することができない。したがって、給湯設定温度が高いときに、保持時間を必要以上に長くしないことによって、混合弁の開度が保持される保持時間を出来るだけ短くできる。
【０００８】
第２の発明にかかる給湯システムは、第１の発明にかかる給湯システムにおいて、前記給湯設定温度を表示する表示手段を有しており、前記表示手段が、出湯が停止された後において待機時間が経過しても出湯が開始されない場合に、前記給湯設定温度の表示を消去するように制御されるものであって、前記給湯設定温度が前記所定切換温度以上である場合の前記保持時間が前記待機時間以下であることを特徴としている。
【０００９】
この給湯システムでは、給湯設定温度が所定切換温度以上である場合に、出湯停止時において混合弁の開度が保持される間は、給湯設定温度が表示されるので、ユーザが、所定切換温度以上の給湯設定温度を確認しない状態で、出湯が開始されるのを防止できる。
【００１０】
第３の発明にかかる給湯システムは、第２の発明に係る給湯システムにおいて、前記待機時間が、前記給湯設定温度にかかわらず一定であることを特徴としている。
【００１１】
この温水供給システムでは、給湯設定温度の表示が消去されるまでの待機時間が一定であることから、上記の待機時間が変化することによって、ユーザが戸惑うのを防止できる。
【００１２】
第４の発明にかかる給湯システムは、第２の発明に係る給湯システムにおいて、前記待機時間が、前記給湯設定温度に基づいて変更されることを特徴としている。
【００１３】
この給湯システムでは、給湯設定温度が低いときの待機時間を短くすることによって省エネを図ることができる。すなわち、給湯設定温度が低い場合は、混合弁の保持時間内において給湯設定温度が表示されなくなって、ユーザが、給湯設定温度を確認しないで出湯が開始されたとしても、低温の湯が出湯される。したがって、混合弁の開度が保持される間に、給湯設定温度の表示が消去されても問題ない。
【００１４】
第５の発明にかかる給湯システムは、第１から第４の発明に係る給湯システムにおいて、前記所定切換温度を変更する変更手段を備えていることを特徴としている。
【００１５】
この給湯システムでは、ユーザが設定することが考えられる給湯設定温度の範囲に基づいて所定切換温度を変更することによって、混合弁の保持時間をさらに短縮することができる。
【発明の効果】
【００１６】
以上の説明に述べたように、本発明によれば、以下の効果が得られる。
【００１７】
第１の発明では、給湯設定温度が所定切換温度以上か否かに基づいて保持時間の長さを変更することによって、出湯停止時において混合弁の開度が保持される保持時間を出来るだけ短くできる。
【００１８】
第２の発明では、給湯設定温度が所定切換温度以上である場合に、出湯停止時において混合弁の開度が保持される間は、給湯設定温度が表示されるので、ユーザが、所定切換温度以上の給湯設定温度を確認しない状態で、出湯が開始されるのを防止できる。
【００１９】
第３の発明では、給湯設定温度の表示が消去されるまでの待機時間が一定であることから、上記の待機時間が変化することによって、ユーザが戸惑うのを防止できる。
【００２０】
第４の発明では、給湯設定温度が低いときの待機時間を短くすることによって省エネを図ることができる。
【００２１】
第５の発明では、ユーザが設定することが考えられる給湯設定温度の範囲に基づいて所定切換温度を変更することによって、混合弁の保持時間をさらに短縮することができる。
【図面の簡単な説明】
【００２２】
【図１】本発明の第１実施形態に係る給湯システムの配管系統図である。
【図２】コントローラの正面図である。
【図３】図１の給湯システムの制御部の構成を示したブロック図である。
【図４】図１の給湯システムの混合弁及び表示部の制御を示したフローチャートである。
【図５】本発明の第２実施形態に係る給湯システムの制御部の構成を示したブロック図である。
【図６】図５の給湯システムの混合弁及び表示部の制御を示したフローチャートである。
【発明を実施するための形態】
【００２３】
以下、図面に基づいて、本発明の実施形態に係る給湯システムについて説明する。
【００２４】
［給湯機の構成］
給湯システム１は、図１に示すように、カランＡ、シャワーＢ及び風呂Ｃ（以下、カランＡ、シャワーＢ及び風呂Ｃを総称して適宜「給湯端末」とする）に湯を供給するシステムであって、ヒートポンプユニット２と、貯湯ユニット３と、コントローラ４とを備えている。
【００２５】
［ヒートポンプユニット］
ヒートポンプユニット２は、貯湯タンク２０の下部から供給される水を加熱し、その加熱した湯を貯湯タンク２０に供給する。このヒートポンプユニット２は、圧縮機１０と、水熱交換器１１と、電動膨張弁１２と、空気熱交換機１３と、ファン１４とを有している。そして、この圧縮機１０、水熱交換器１１、電動膨張弁１２、空気熱交換機１３及び弁類等が冷媒配管１５によって環状に接続されることにより冷媒回路１６を構成している。この冷媒回路１６上には、水熱交換器１１から出る高温高圧の冷媒と空気熱交換機１３から出る冷温低圧の冷媒との間で熱交換を行うためのガス熱交換器１７が配置されている。
【００２６】
［貯湯ユニット］
貯湯ユニット３は、貯湯タンク２０と、沸き上げ循環回路３０と、追焚循環回路４０と、風呂循環回路５０と、給湯回路６０及び７０と、給水回路８０とを有している。
【００２７】
貯湯タンク２０は、ヒートポンプユニット２により沸き上げられた湯を貯湯している。この貯湯タンク２０には、沸き上げ循環回路３０、追焚循環回路４０、風呂給湯回路６０、カラン・シャワー給湯回路７０及び給水回路８０が接続されており、ヒートポンプユニット２により沸き上げられた湯は、沸き上げ循環回路３０、追焚循環回路４０、風呂給湯回路６０及びカラン・シャワー給湯回路７０に供給されるように構成されている。この貯湯タンク２０の下部には、給水源Ｓから供給される水が給水回路８０を介して供給される。この貯湯タンク２０には、貯湯タンク２０の残湯量を検知する複数の残湯量サーミスタ２１が設けられている。これらの複数の残湯量サーミスタ２１は、貯湯タンク２０の異なる高さ位置にそれぞれ設けられている。
【００２８】
沸き上げ循環回路３０は、貯湯タンク２０とヒートポンプユニット２との間で湯を循環させるために設けられる回路であって、その回路上には、沸き上げポンプ３１と、水熱交換器１１と、沸き上げ三方弁３２とが配置されている。この沸き上げ循環回路３０の一方端は、貯湯タンク２０の底部に接続されており、貯湯タンク２０の下部の低温の水が出水可能となっている。また、沸き上げ循環回路３０の他方端は、三方弁３２から分岐しており、その一方は貯湯タンク２０の頂部に接続されると共に、他方は貯湯タンク２０の底部に接続されている。
【００２９】
したがって、ヒートポンプユニット２により加熱された湯が低温の場合には、その低温の水を貯湯タンク２０の下部に戻すことが可能となると共に、ヒートポンプユニット２により加熱された湯が高温の場合には、その高温の湯を貯湯タンク２０の上部に戻すことが可能となる。また、沸き上げ循環回路３０には、ヒートポンプユニット２に供給される水の温度（以下、入水温度とする）を検知する入水サーミスタ１８、及び、ヒートポンプユニット１ａにより加熱された水の温度（以下、出湯温度とする）を検知する出湯サーミスタ１９が設けられている。
【００３０】
追焚循環回路４０は、後述する風呂循環回路５０を循環する風呂Ｃの水を加熱するために設けられる循環回路である。この回路上には、追焚熱交換器４１と、熱交循環ポンプ４２とが配置されている。この追焚循環回路４０の一方端は、貯湯タンク２０の頂部に接続されており、貯湯タンク２０の上部の高温の湯が出湯可能となっている。また、追焚循環回路４０の他方端は、貯湯タンク２０の底部に接続されており、追焚熱交換器４１で熱交換された低温の水を貯湯タンク２０の下部に戻すことが可能となっている。
【００３１】
風呂循環回路５０は、風呂Ｃの湯を循環させる循環回路であって、上記した追焚循環回路４０を循環する湯と熱交換することにより風呂Ｃの水が加熱される。この回路上には、風呂循環ポンプ５１と、上記した追焚熱交換器４１とが配置されている。また、風呂循環回路５０には、風呂Ｃの湯の温度（風呂温度）を検知する風呂サーミスタ５２、及び、風呂Ｃの水位（以下、風呂水位とする）を検知する水位センサ５３が設けられている。
【００３２】
風呂給湯回路６０は、貯湯タンク２０に貯湯される湯を風呂Ｃに供給するための回路であって、その回路上には、湯はり混合弁６１と、湯はり電磁弁６２と、逆止弁６３と、湯はり水量センサ６４と、逆止弁６５と、湯はりサーミスタ６６とが配置されている。この風呂給湯回路６０の一方端は、貯湯タンク２０の頂部に接続されており、貯湯タンク２０の上部の高温の湯が出湯可能となっている。また、風呂給湯回路６０の他方端は、風呂Ｃに接続されている。
【００３３】
湯はり混合弁６１は、貯湯タンク２０から供給される湯と給水源Ｓから供給される水とを混合することによって、風呂Ｃに供給される湯の温度を調整する。また、湯はり水量センサ６４は、風呂Ｃに供給される湯の流量を検知するために設けられると共に、湯はりサーミスタ６６は、風呂Ｃに供給される湯の温度を検知するために設けられている。
【００３４】
湯はり混合弁６１は、風呂Ｃに出湯される湯の温度に応じて、その開度が調整される。この混合弁６１は、湯の出湯を停止してから所定の保持時間が経過するまでは、その開度を出湯停止時の開度に保持されるように制御される。そして、混合弁６１は、保持時間が経過した後で、その開度が水の混合比率が大きくなるように変更される。本実施形態では、混合弁６１の開度は、保持時間が経過すると、水の混合比率が１００％となるように変更される。
【００３５】
本実施形態では、混合弁６１の保持時間が給湯設定温度に基づいて変更され、給湯設定温度が第１切換温度以上である場合は、保持時間が第１保持時間（例えば３０分）に設定され、給湯設定温度が第１切換温度未満の場合は、第１保持時間より長い第２保持時間（例えば６０分）に設定される。したがって、給湯設定温度が第１切換温度以上の場合、湯の出湯が停止された後において第１保持時間が経過するまでに再出湯されたときは、直前の出湯停止時とほぼ同一温度の湯を出湯することができる。また、給湯設定温度が第１切換温度未満の場合、湯の出湯が停止された後において第２保持時間が経過するまでに再出湯されたときは、直前の出湯停止時とほぼ同一温度の湯を出湯することができる。
【００３６】
カラン・シャワー給湯回路７０は、貯湯タンク２０に貯湯される湯をカランＡ及びシャワーＢに供給するための回路であって、その回路上には、給湯混合弁７１と、給湯水量センサ７２と、給湯サーミスタ７３とが配置されている。このカラン・シャワー給湯回路７０の一方端は、貯湯タンク２０の頂部に接続されており、貯湯タンク２０の上部の高温の湯が出湯可能となっている。また、カラン・シャワー給湯回路７０の他方端は、カランＡ及びシャワーＢに接続されている。
【００３７】
給湯混合弁７１は、貯湯タンク２０から供給される湯と給水源Ｓから供給される水とを混合することによって、カランＡ及びシャワーＢに供給される湯の温度を調整する。また、給湯水量センサ７２は、カランＡ及びシャワーＢに供給される湯の流量を検知するために設けられると共に、給湯サーミスタ７３は、カランＡ及びシャワーＢに供給される湯の温度を検知するために設けられている。
【００３８】
給湯混合弁７１は、上記した湯はり混合弁６１と同様に、カランＡ及びシャワーＢに供給される湯の温度に応じて、その開度が調整される。本実施形態では、この混合弁７１の開度が出湯停止時の開度に保持される保持時間は、給湯温度によって変更される。なお、給湯混合弁７１の保持時間は、給湯設定温度に基づいて、上記した湯はり混合弁６１と同様に設定される。
【００３９】
給水回路８０は、給水源Ｓから供給される水道水を貯湯タンク２０、湯はり混合弁６１及び給湯混合弁７１に供給する回路である。この給水回路８０の給水源Ｓから貯湯タンク２０までの回路上には、ストレーナ８１と、逆止弁８２と、水温サーミスタ８３と、逆止弁８４とが配置されている。水温サーミスタ８３は、給水源Ｓから貯湯タンク２０に供給される水道水の温度を検知するために設けられている。
【００４０】
［コントローラ］
コントローラ４は、カランＡやシャワーＢから出湯される湯の給湯設定温度を変更するものと、風呂Ｃに供給される湯の給湯設定温度を変更するものを含んでいる。コントローラ４は、図２に示すように、表示部９０と、各種ボタンが設けられる操作部９１とを有している。表示部９０は、液晶モニタであって、カランＡ及びシャワーＢの給湯設定温度や、風呂Ｃの給湯設定温度や、貯湯タンク２０の残湯量などを表示する。また、操作部９１には、カランＡ及びシャワーＢの給湯設定温度や風呂Ｃの給湯設定温度を決定するための温度変更ボタン９２等が設けられている。
【００４１】
［制御部］
給湯システム１は、マイコンやメモリ等により構成される第１制御部１００と、コントローラ４に設けられた第２制御部１０５とを有している。この第１制御部１００は、ヒートポンプユニット２及び貯湯ユニット３を制御するものであって、第２制御部１０５との間でデータの通信が可能に構成されている。
【００４２】
第１制御部１００は、図３に示すように、第１切換温度記憶部１０１と、保持時間変更部１０２と、タイマー１０３と、混合弁制御部１０４とを有している。また、第１制御部１００には、図３に示すように、湯はり混合弁６１や給湯混合弁７１が接続されていると共に、図３に図示しないが、入水サーミスタ１８、出湯サーミスタ１９、複数の残湯量サーミスタ２１、給湯水量センサ７２、給湯サーミスタ７３、熱交循環ポンプ４２、風呂サーミスタ５２、風呂循環ポンプ５１、水位センサ５３、湯はり水量センサ６４、湯はりサーミスタ６６等が接続されている。
【００４３】
第１切換温度記憶部１０１は、湯はり混合弁６１及び給湯混合弁７１において、出湯停止時に開度が保持される保持時間を切り換えるための第１切換温度（例えば５０℃）を記憶する。本実施形態において、第１切換温度が、本発明の所定切換温度に対応する。また、本実施形態では、第１切換温度は、詳細な説明は省略するが、コントローラ４の表示部９０の表示を、第１切換温度を変更するための画面に切り換えて操作部９１を操作することによって変更できる。
【００４４】
保持時間変更部１０２は、混合弁６１、７１の保持時間を給湯設定温度に基づいて変更する。本実施形態では、混合弁６１、７１のいずれについても、保持時間変更部１０２は、給湯設定温度が第１切換温度以上である場合は、保持時間を第１保持時間（例えば３０分）に設定し、給湯設定温度が第１切換温度未満の場合は、保持時間を第１保持時間より長い第２保持時間（例えば６０分）に設定する。なお、保持時間変更部１０２は、給湯設定温度が第１切換温度以上である場合、後述する待機時間記憶部１０６に記憶された待機時間を超えない範囲で、保持時間を変更する。
【００４５】
タイマー１０３は、給湯端末からの出湯が停止すると、計測を開始し、出湯停止時から時間を計測する。
【００４６】
混合弁制御部１０４は、タイマー１０３で計測される時間が、保持時間変更部１０２で設定された保持時間に到達すると、混合弁６１、７１の開度保持を終了し、開度を水の混合比率が大きくなるように変更する。本実施形態では、混合弁制御部１０４は、保持時間が経過すると、開度を水の混合比率が１００％となるように変更する。
【００４７】
一方、第２制御部１０５は、待機時間記憶部１０６と、表示制御部１０７とを有している。また、第２制御部１０５には、コントローラ４の表示部９０や操作部９１が接続されている。
【００４８】
待機時間記憶部１０６は、給湯端末からの出湯が停止された後で、出湯されない状態が継続された場合に、コントローラ４の表示部９０の表示を消去するまでの待機時間（例えば３０分）を記憶する。本実施形態では、待機時間記憶部１０６に記憶された待機時間は、あらかじめ設定された待機時間で一定であって変更できない。
【００４９】
表示制御部１０７は、コントローラ４の表示部９０を制御する。本実施形態では、表示制御部１０７は、ユーザの操作によって給湯設定温度が変更される場合は、その操作にしたがって表示部９０に表示される給湯設定温度を変更する。また、表示制御部１０７は、給湯端末から出湯される間に給湯設定温度を表示すると共に、給湯端末における出湯が停止された後で、待機時間記憶部１０６に記憶された待機時間が経過するまでは、給湯設定温度を表示する。そして、表示制御部１０７は、給湯端末における出湯が停止された後で、待機時間記憶部１０６に記憶された待機時間が経過すると、表示部９０の表示を消去する。なお、本実施形態では、表示制御部１０７が、待機時間が経過すると、表示部９０における全ての表示を消去することによって給湯設定温度を消去するが、これに限定されず、給湯設定温度が表示されない状態に変更されるものであればよい。
【００５０】
次に、給湯システム１における混合弁及び表示部の制御について、図４に基づいて説明する。ここでは、カランＡまたはシャワーＢから出湯される場合の給湯混合弁７１の動作について説明するが、風呂Ｃに出湯される場合の湯はり混合弁６１の動作についても同様である。
【００５１】
まず、第１切換温度記憶部１０１に記憶された第１切換温度がユーザによって設定される（ステップＳ１）。ユーザによって第１切換温度が変更される場合は、ユーザの操作部９１への操作にしたがって変更される。また、ユーザによって第１切換温度が変更されない場合は、前回設定された第１切換温度が維持される。
【００５２】
その後、給湯設定温度が決定された上で、給湯端末における出湯が開始されたか否かが繰り返し判断される（ステップＳ２）。ここで、ユーザによって給湯設定温度が変更される場合や、給湯端末から出湯されている場合、コントローラ４の表示部９０には、給湯設定温度が表示される。そして、給湯端末における出湯が開始されると、上記で決定された給湯設定温度に基づいて、混合弁７１の保持時間が変更される（ステップＳ３）。
【００５３】
そして、給湯端末における出湯が停止されたか否かが繰り返し判断される（ステップＳ４）。ここで、給湯端末における出湯が停止されると、タイマー１０３での計測が開始される（ステップＳ５）。
【００５４】
上記のように、給湯端末における出湯が停止された後、混合弁７１の保持時間が経過したか否かが繰り返し判断される（ステップＳ６）。ここで、保持時間が経過すると、出湯が停止された給湯端末に湯を供給する混合弁７１において、その開度保持状態が終了し、水の混合比率が大きくなるように変更される（ステップＳ７）。
【００５５】
その後、同様に、給湯端末における出湯が停止された後、表示部９０の待機時間が経過したか否かが繰り返し判断される（ステップＳ８）。ここで、待機時間が経過すると、コントローラ４の表示部９０の表示が消去される（ステップＳ９）。
【００５６】
［本実施形態の給湯システムの特徴］
本実施形態の給湯システム１には、以下のような特徴がある。
【００５７】
本実施形態の給湯システム１では、混合弁６１、７１のいずれについても、給湯設定温度が第１切換温度以上である場合は、保持時間が第１保持時間に設定され、給湯設定温度が第１切換温度未満の場合は、保持時間が第１保持時間より長い第２保持時間に設定される。したがって、混合弁６１、７１の開度が保持される保持時間を出来るだけ短くできる。
【００５８】
また、本実施形態の給湯システム１では、給湯設定温度が第１切換温度以上の場合、混合弁６１、７１の保持時間が、表示部９０の待機時間（待機時間記憶部１０６に記憶された待機時間）を超えない範囲で変更される。したがって、出湯停止時において混合弁の開度が保持される間は、給湯設定温度が表示されるので、ユーザが、第１切換温度以上の給湯設定温度を確認しない状態で、出湯が開始されるのを防止できる。
【００５９】
また、本実施形態の給湯システム１では、表示部９０の表示が消去されるまでの待機時間が一定であることから、上記の待機時間が変化することによって、ユーザが戸惑うのを防止できる。
【００６０】
また、本実施形態の給湯システム１では、ユーザは、コントローラ４によって、第１切換温度を変更できる。したがって、ユーザが設定することが考えられる給湯設定温度の範囲に基づいて第１切換温度を変更することによって、混合弁６１、７１の保持時間をさらに短縮することができる。
【００６１】
（第２実施形態）
第２実施形態の給湯システムが、第１実施形態の給湯システムと大きく異なる点は、第１実施形態では、コントローラの表示部の表示が消去されるまでの待機時間が一定であるのに対し、第２実施形態では、この待機時間が給湯設定温度に基づいて変更される点である。その他の点は、第１実施形態と同様であるので、それらの説明は省略する。
【００６２】
本実施形態の給湯システムは、第１実施形態と同様に、第１制御部１００と、コントローラ４に設けられた第２制御部２０５とを有している。この第１制御部１００は、第２制御部２０５との間でデータの通信が可能に構成されている。なお、第１実施形態と同様に、本実施形態においても、第１切換温度が、本発明の所定切換温度に対応する。
【００６３】
第２制御部２０５は、図５に示すように、第２切換温度記憶部２０６と、給湯設定温度記憶部２０７と、待機時間変更部２０８と、表示制御部２０９とを有している。また、第２制御部２０５には、コントローラ４の表示部９０や操作部９１が接続されている。
【００６４】
第２切換温度記憶部２０６は、コントローラ４の表示部９０の表示を消去するまでの待機時間を切り換えるための第２切換温度（例えば５０℃）を記憶する。本実施形態では、第２切換温度記憶部２０６は、第２切換温度として、第１切換温度記憶部１０１に記憶された第１切換温度と同一温度を記憶する。また、第２切換温度は、詳細な説明は省略するが、コントローラ４の表示部９０の表示を、第２切換温度を変更するための画面に切り換えて操作部９１を操作することによって変更できる。
【００６５】
給湯設定温度記憶部２０７は、ユーザがコントローラ４の操作部９１を操作することによって決定した給湯設定温度を記憶する。
【００６６】
待機時間変更部２０８は、給湯端末からの出湯が停止された後で、出湯されない状態が継続された場合に、コントローラ４の表示部９０の表示を消去するまでの待機時間を、給湯設定温度に基づいて変更する。本実施形態では、待機時間変更部２０８は、給湯設定温度が第２切換温度以上である場合は、待機時間を第１待機時間（例えば３０分）に設定し、給湯設定温度が第１切換温度未満の場合は、待機時間を第１待機時間より短い第２待機時間（例えば１０分）に設定する。なお、給湯設定温度が第２切換温度以上である場合、待機時間変更部２０８は、表示部９０の待機時間が、混合弁６１、７１の保持時間と同一か又は保持時間より長くなるように変更する。
【００６７】
表示制御部２０９は、コントローラ４の表示部９０を制御する。本実施形態では、表示制御部２０９は、ユーザの操作によって給湯設定温度が変更される場合は、その操作にしたがって表示部９０に表示される給湯設定温度を変更する。また、表示制御部２０９は、給湯端末から出湯される間に給湯設定温度を表示すると共に、給湯端末における出湯が停止された後で、待機時間変更部２０８で設定された待機時間が経過するまでは、給湯設定温度を表示する。そして、表示制御部２０９は、給湯端末における出湯が停止された後で、待機時間変更部２０８で設定された待機時間が経過すると、表示部９０の表示を消去する。
【００６８】
次に、給湯システムにおける混合弁及び表示部の制御について、図６に基づいて説明する。ここでは、カランＡまたはシャワーＢから出湯される場合の給湯混合弁７１の動作について説明するが、風呂Ｃに出湯される場合の湯はり混合弁６１の動作についても同様である。
【００６９】
まず、第１切換温度記憶部１０１に記憶された第１切換温度がユーザによって設定される（ステップＳ１０１）。ユーザによって第１切換温度が変更される場合は、ユーザの操作部９１への操作にしたがって変更される。また、ユーザによって第１切換温度が変更されない場合は、前回設定された第１切換温度が維持される。
【００７０】
その後、給湯設定温度が決定された上で、給湯端末における出湯が開始されたか否かが繰り返し判断される（ステップＳ１０２）。ここで、ユーザによって給湯設定温度が変更される場合や、給湯端末から出湯されている場合、コントローラ４の表示部９０には、給湯設定温度が表示される。そして、給湯端末における出湯が開始されると、上記で決定された給湯設定温度に基づいて、混合弁７１の保持時間が変更されると共に（ステップＳ１０３）、表示部９０の待機時間が変更される（ステップＳ１０４）。
【００７１】
そして、給湯端末における出湯が停止されたか否かが繰り返し判断される（ステップＳ１０５）。ここで、給湯端末における出湯が停止されると、タイマー１０３での計測が開始される（ステップＳ１０６）。
【００７２】
上記のように、給湯端末における出湯が停止された後、混合弁７１の保持時間が経過したか否かが繰り返し判断される（ステップＳ１０７）。ここで、保持時間が経過すると、出湯が停止された給湯端末に湯を供給する混合弁７１において、その開度保持状態が終了し、水の混合比率が大きくなるように変更される（ステップＳ１０８）。
【００７３】
その後、同様に、給湯端末における出湯が停止された後、表示部９０の待機時間が経過したか否かが繰り返し判断される（ステップＳ１０９）。ここで、待機時間が経過すると、コントローラ４の表示部９０の表示が消去される（ステップＳ１１０）。
【００７４】
［本実施形態の給湯システムの特徴］
本実施形態の給湯システムには、以下のような特徴がある。
【００７５】
本実施形態の給湯システムでは、第１実施形態と同様に、混合弁６１、７１の開度が保持される保持時間を出来るだけ短くできる。
【００７６】
また、本実施形態の給湯システムでは、給湯設定温度が第２切換温度以上である場合、表示部９０の待機時間が、混合弁６１、７１の保持時間と同一か又は保持時間より長くなるように変更される。したがって、給湯停止時において混合弁の開度が保持される間は、給湯設定温度が表示されるので、ユーザが、第２切換温度以上の給湯設定温度を確認しない状態で、出湯が開始されるのを防止できる。
【００７７】
また、本実施形態の給湯システムでは、ユーザは、コントローラ９０によって、第１切換温度を変更できる。したがって、ユーザが設定することが考えられる給湯設定温度の範囲に基づいて第１切換温度を変更することによって、混合弁６１、７１の保持時間をさらに短縮することができる。
【００７８】
また、本実施形態の給湯システムでは、給湯設定温度が第２切換温度以上である場合は、表示部９０の待機時間が第１待機時間に設定され、給湯設定温度が第２切換温度未満の場合は、待機時間が第１待機時間より短い第２待機時間に設定される。したがって、給湯設定温度が低いときの待機時間を短くすることによって省エネを図ることができる。
【００７９】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００８０】
例えば、上記実施形態では、給湯設定温度が第１切換温度以上である場合に、混合弁の保持時間が表示部の待機時間以下である場合について説明したが、給湯設定温度が第１切換温度以上である場合において、混合弁の保持時間が表示部の待機時間より長くてもよい。
【００８１】
上記実施形態では、第１切換温度がコントローラによって変更できる場合について説明したが、第１切換温度があらかじめ設定された温度で一定であって変更できないように構成されてもよい。
【００８２】
上記実施形態では、湯はり混合弁６１及び給湯混合弁７１についての第１切換温度、第１保持時間、第２保持時間がそれぞれ同一である場合について説明したが、湯はり混合弁６１及び給湯混合弁７１についての第１切換温度、第１保持時間、第２保持時間がそれぞれ異なってもよい。また、上記第２実施形態では、湯はり混合弁６１及び給湯混合弁７１についての第１切換温度及び第２切換温度が同一である場合について説明したが、湯はり混合弁６１及び給湯混合弁７１についての第１切換温度及び第２切換温度が異なってもよい。
【００８３】
上記実施形態では、混合弁の保持時間が１つの第１切換温度に基づいて変更される場合（混合弁の保持時間が、給湯設定温度が所定温度以上の場合に短く変更され、給湯設定温度が所定温度未満の場合に長く変更される）について説明したが、混合弁の保持時間が複数の第１切換温度に基づいて変更されてもよい。したがって、例えば、混合弁の保持時間が２つの第１切換温度に基づいて変更される場合は、混合弁の保持時間が、給湯設定温度が第１所定温度以上の場合に最も短く変更され、給湯設定温度が第１所定温度未満であり且つ第２所定温度以上の場合に、第１所定温度以上の場合より長く（且つ第２所定温度未満の場合より短く）変更され、給湯設定温度が第２所定温度未満の場合に最も長く変更されてもよい。
【００８４】
上記実施形態では、給湯設定温度が第１切換温度未満である場合に、混合弁の保持時間が表示部の待機時間より長い場合について説明したが、給湯設定温度が第１切換温度未満である場合に、混合弁の保持時間が表示部の待機時間以下であってもよい。
【００８５】
上記実施形態では、給湯端末が、カランＡ、シャワーＢ及び風呂Ｃである場合を説明したが、給湯端末は、上記に限定されず、例えば温水の循環回路を備えた床暖房パネルなどであってもよい。
【産業上の利用可能性】
【００８６】
本発明を利用すれば、出湯停止時において混合弁の開度が保持される保持時間を出来るだけ短くできる。
【符号の説明】
【００８７】
１  給湯システム
２  ヒートポンプユニット
３  貯湯ユニット
４  コントローラ
２０  貯湯タンク
６１  湯はり混合弁（混合弁）
７１  給湯混合弁（混合弁）
９０  表示部（表示手段）
９１  操作部（温度決定手段、変更手段）
【図１】
2012225522.tif 000003
【図３】
2012225522.tif 000004
【図４】
2012225522.tif 000005
【図５】
2012225522.tif 000006
【図６】
2012225522.tif 000007
【図２】
2012225522.tif 000008